Podtech/llm-jp-corpus-v4-ja_patent huggingface dataset:
(57)【要約】      （修正有）【課題】リップの長さ等によって、ルアーの水中を潜る深さが変わるので、ルアーそのものを取り替えて、潜る深さを変えていたが、ルアーを取り替えなくても潜る深さを自由に変えられるルアーを提供する。【解決手段】リップ１を蝶つがい２を使って、ルアー本体３に取り付け、角度を自由に変えられるようにして、潜る深さを自由に変えられるようにした。【選択図】図１
2011147423.tif 000002
【特許請求の範囲】
【請求項１】
蝶つがい等を使ってリップを動くようにして水の中を潜る深さを変えられるようにしたルアー
【発明の詳細な説明】
【発明の詳細な説明】
【技術分野】
【０００１】  本発明はルアーのリップを蝶つがい等を利用して動くようにして、水中を潜る深さを自由に変えられるようにしたものである。
【背景技術】
【０００２】  従来、ルアーは投げてからリールを巻きはじめるまでの時間を変えて、ルアーをしずめてルアーの水中を泳ぐ深さを変えるか、リップの長さ等によって水中を潜る深さが変わるので、ルアーを取り変えて、潜る深さを変えていた。
【発明を実施するための形態】
【０００３】  本発明はリップを動くようにして、水中を潜る深さを自由に変えられるようにしたルアーで、それを図面について説明すれば、リップ１を、蝶つがい２等を使ってルアーの本体３につけ動くようにしたものである。
【発明の効果】
【０００４】  このようにすれば、リップを動かし、角度を変える事によって、ルアーの水中を潜る深さを自由に変える事が出来るので、水中の上の方も下の方もルアーを取り変える事なく、魚のいるポイントをねらうことができるので、大変便利である。
【図面の簡単な説明】
【図１】  本発明の側面図である。
【符号の説明】１  リップ
２  蝶つがい
３  ルアーの本体
【図１】
2011147423.tif 000003
(57)【要約】【課題】  電気掃除機に接続して、抜けた毛を吸い込むようにした、ブラシやクシをつつみ込むようにはさみ込むカバーを提供する。【解決手段】  掃除機のパイプ１につなぐパイプ部２を、毛飛散防止カバー４に設けて、プラシやクシ３をつつみ込むようにして使用する事を特徴とする。【選択図】図１
2011147426.tif 000002
【特許請求の範囲】
【請求項１】
掃除機のパイプ１につなぐパイプ部２を持つ、ブラシやクシ３にかぶせて握ったまま使用する、毛飛散防止カバー４。
なお、カバーをプラスチック等のかたい材質の物で作って、クシやブラシをバンド等で、とめてもよい。
【発明の詳細な説明】
【発明の詳細な説明】
【技術分野】
【０００１】  この発明は掃除機に接続して抜けた毛を吸い込む様にしたブラシやクシのカバーに関する物である。
【背景技術】
【０００２】  従来よりペットにブラシをかけると、抜けた毛が飛んで、部屋の中を汚していた。
【発明が解決しようとする課題】
【０００３】  これは次のような欠点があった。
（イ）ブラシやクシを使用した時は、抜けた毛が部屋の中に飛び散って部屋を汚していた。
本発明は以上の欠点を解決するためになされたものである。
【課題を解決するための手段】
【０００４】  毛飛散防止カバー４に掃除機につなぐパイプ部２を設けた。
本発明は以上の構成よりなる、掃除機のパイプ１に接続できるようにした、毛飛散防止カバーである。
【発明を実施するための形態】
【０００５】  以下、本発明の実施の形態を説明する。
（イ）毛飛散カバー４に掃除機に接続するパイプ部２を設ける、本発明は以上の構成によりなっている。
本発明を使用する時は、ブラシやクシ３に毛飛散防止カバー４をかぶせてにぎり、掃除機のパイプ１にパイプ部２を接続しただけで、次のようにして、抜けた毛が取り除かれる。
電気掃除機のパイプ１に毛飛散防止カバー４の中の空気が吸い込まれ、ブラシやクシ３をにぎったままペットをブラッシングすると空気といっしょに抜けた毛が掃除機のパイプ１の中に吸い込まれていく。この結果、抜けた毛が飛び散る事はない。
又、毛飛散防止カバー４をかたい材質の物でつくり、バンド等でブラシやクシ３で止めてもよい
【発明の効果】
【０００６】  本発明を使用する事によって、ブラッシング時の抜けた毛が空気といっしょにパイプに吸い込まれるので、部屋の中に飛び散ったりしない。
【図面の簡単な説明】
【図１】本発明の斜視図
【符号の説明】１  掃除機のパイプ
２  パイプ部
３  ブラシやクシ
４  毛飛散防止カバー
【図１】
2011147426.tif 000003
(57)【要約】【課題】  本発明は、寿司の上から適量の醤油を塗布する事ができる装置を提供する。【手段】  樹脂または陶器、木材、金属など用いて形成した板の任意の面に、醤油の液滴を保持するための凹部を単数、もしくは複数設ける。醤油を溜めた皿にこの面を浸す事で醤油の液滴が凹部に付着する。凹部に付着した醤油の液滴を寿司の上に当接させる事により、醤油を寿司に塗布する事ができる。【選択図】図１
2011147430.tif 000002
【特許請求の範囲】
【請求項１】
樹脂、陶器、木材、金属などなどを用いて形成された板の任意の面に、液滴を保持する形状が設けられている事を特徴とする醤油塗り装置。
【請求項２】
液滴を保持する形状が、単数もしくは複数の凹部で形成されている、請求項１の醤油塗り装置。
【請求項３】
液滴を保持する形状が、単数もしくは複数の凸状の立て壁で囲まれた枠で形成されている、請求項１の醤油塗り装置。
【請求項４】
液滴を保持する形状が、単数もしくは複数の凹部でかつ、空気を抜く細孔が形成されている、請求項１の醤油塗り装置。
【請求項５】
液滴を保持する形状が、単数もしくは複数の凸状の立て壁で囲まれた枠でかつ、枠内に空気を抜く細孔が形成されている、請求項１の醤油塗り装置。
【発明の詳細な説明】
【技術分野】
【０００１】  本発明は、液体調味料の食材への塗布に係り、特に寿司のネタに適量の醤油を塗布する装置に関するものである。
【背景技術】
【０００２】  従来、寿司のネタに醤油を塗布する場合は、醤油を溜めた皿に寿司を逆さにして浸して醤油を付ける方法、もしくは醤油さしで寿司ネタの上から醤油を少しずつ寿司に注ぐ方法などがとられている。
【発明の開示】
【発明が解決しようとする課題】
【０００３】  従来の方法では寿司を逆さにする際に寿司ネタが剥がれ落ちたり、寿司飯が崩れるという問題点があり、醤油さしを用いて寿司に醤油を注ぐ方法では醤油の量の加減が難しいため、醤油が多く注がれてしまうという問題点があった。
このため、寿司ネタの剥がれや、寿司飯が崩れる事がなく、容易にかつ適量の醤油を寿司ネタに塗布できる装置が望まれていた。
本発明は上記の問題点を解決し、寿司を逆さにせず適量の醤油を寿司ネタに付ける事ができる醤油塗布器を提供することを目的とする。
【課題を解決するための手段】
【０００４】  このような目的を達成する本発明の醤油塗布器は、樹脂または陶器、木材、金属などを用いて形成した板の任意の面に、醤油の液滴を保持するための凹部、もしくは凸状の立て壁で囲んだ枠が、単数または複数設けられたものである。
また、この面以外の任意面に本発明をつまみ上げるための任意形状の取っ手を設ける。
本発明は以上の構成よりなる醤油塗り装置である。
【発明の効果】
【０００５】  本発明によれば、醤油の液滴を寿司の上から塗布する事ができ、寿司を逆さにして醤油を溜めた皿に浸すことなく適量の醤油を供給する事ができる。
【発明を実施するための形態】
【０００６】  以下、本発明の実施の形態を説明する。
（イ）樹脂または陶器、木材、金属などを用いて寿司ネタと同程度の面積で適宜厚さの        板（１）を形成する。
（ロ）板（１）の任意の面に醤油の液滴を保持するための凹部（２）、もしくは凸状の        立て壁で囲んだ枠（３）を設ける。凹部（２）および凸状の立て壁で囲んだ枠（        ３）の形状は、四角形や円、長円など自由な形状としてよい。また、凹部（２）        や凸状の立て壁で囲まれた枠内には空気抜きのため裏面に貫通する細孔（５）を        設けてもよい。
（ハ）板（１）の任意面に本発明を保持するための取っ手（４）を設ける。取っ手（４        ）は任意形状であり、魚や動物など様々なデザインを施す事で本発明使用の興味        をそそる事ができる。また、板（１）を、指で側面を保持できる程度の厚さにす        る事で、取っ手（４）の代わりとする事ができる。
本発明は以上の構成よりなる。
【０００７】  本発明を使用する場合は、取っ手（４）をつまんで板（１）の凹部（２）、もしくは凸状の立て壁で囲んだ枠（３）が設けられた面を下に向けて、醤油を溜めた皿に浸す。凹部（２）もしくは凸状の立て壁で囲んだ枠（３）に醤油の液滴が付着し、保持される。再び取っ手（４）をつまんで板（１）持ち上げ、凹部（２）内もしくは凸状の立て壁で囲んだ枠（３）内に付着した醤油の液滴を、寿司の上から当接させる事で寿司ネタに醤油の液滴を塗布することができる。これを繰り返すことにより、好みの量の醤油を塗布することができる。
【０００８】  なお本発明は、寿司への醤油の塗布のみならず、液体調味料を食材に塗布する用途としても応用できる。例えば、ステーキやハンバーグへのソース塗布として使用してもよい。
【図面の簡単な説明】
【０００９】
【図１】  本発明の斜視図
【図２】  本発明の斜視図
【図３】  本発明を適用し、醤油の液滴保持部に空気抜きの細孔を設けた醤油塗布器の正面図
【図４】  ［図３］のＡ線の断面図
【図５】  本発明を適用し、醤油の液滴保持部に空気抜きの細孔を設けた醤油塗布器の正面図
【図６】  ［図５］のＢ線の断面図
【符号の説明】
【００１０】（１）板、（２）凹部、（３）凸状の立て壁で囲んだ枠、（４）取っ手、（５）空気抜きの細孔
【図１】
2011147430.tif 000003
【図２】
2011147430.tif 000004
【図３】
2011147430.tif 000005
【図４】
2011147430.tif 000006
【図５】
2011147430.tif 000007
【図６】
2011147430.tif 000008
(57)【要約】【課題】  植替えやペイントしなくても、プランターの模様替えを一瞬でできるようにする。【解決手段】  カバーできるものを、      クリップ（１）で数ヶ所挟み、挿し込み棒（２）をプランターの土の中に挿し込みカバーを固定させる。【選択図】図１
2011147431.tif 000002
【特許請求の範囲】
【請求項１】
挿し込み棒（２）にクリップ（１）を設けたプランターカバー用クリップ付き挿し込み棒。
【請求項２】
挿し込み棒（２）にバネ（３）の付いた留め具（４）を設けた、請求項１のプランターカバー用クリップ付き挿し込み棒。
【請求項３】
挿し込み棒（２）にピン（５）を設けた、請求項１のプランターカバー用クリップ付き挿し込み棒。
【発明の詳細な説明】
【発明の詳細な説明】
【技術分野】
【０００１】    この発明はプランターをカバーできるものを挟んで、プランターの土の中に挿し込めば植替えしなくても、自分好みに模様替えできるようにした。
【背景技術】
【０００２】    従来は、好みのプランターに植替えるか、ペイントするしかなく手間が掛かった。
【発明を実施するための形態】
【０００３】    本発明は、他のプランターに植替えやペイントしなくても、数個のクリップ（１）で数ヶ所をカバーできるものを挟んで、挿し込み棒（２）を土の中に挿し込めば、雰囲気を一瞬で変えることができる。
【０００４】    なを、本発明の実施に当たって、次の如きことができる。
（イ）挿し込み棒（２）にバネ（３）が付いた留め具（４）を設けた方法。
（ロ）挿し込み棒（２）にをピン（５）を設けた方法。
【発明の効果】
【０００５】    植替えやペイントしなくても、プランターの雰囲気を一瞬で変えることができるようになる。
【図面の簡単な説明】
【図１】    本発明の正面図
【図２】    本発明の使用斜視図
【図３】    本発明のクリップをバネの付いた留め具にした斜視図
【図４】    本発明のクリップをピンにした斜視図
【符号の説明】    １  クリップ
２  挿し込み棒
３  バネ
４  留め具
５  ピン
６  カバー
７  鉢
【図１】
2011147431.tif 000003
【図２】
2011147431.tif 000004
【図３】
2011147431.tif 000005
【図４】
2011147431.tif 000006
(57)【要約】【課題】高額な設備投資を抑えた植物圧搾液体薬効組成、抽出成分は、有効組成、成分を発揮し、植物生育に優れた汎用活用を得る。植物圧搾液体物質、固体物質、顆粒物質、粉末物質の配合組成加工製造法は，比較的簡単な装置を用い、作業技術でもって大量生産することを特徴とした。【解決手段】本発明の植物圧搾液体薬効組成、抽出成分の有効性は、上記諸課題を解決し、天然素材の植物活性材として汎用活用に優れ、地域の天然資源活用に貢献することで地域事業を育成し、地域の産業開発となる。【選択図】なし【特許請求の範囲】
【請求項１】
植物の圧搾液体薬効組成、抽出成分を圧搾液体物質、固体物質、顆粒物質、粉末物質等の加工抽出を得たことを特徴とする。
【請求項２】
植物の圧搾液体薬効組成、抽出成分は、植物の育成融合性に優れて得たことを特徴とする。
【請求項３】
請求項２に請求項１の単独で用いても良く、また２種以上の混合によって植物圧搾液体薬効組成、抽出成分の植物活性材を得ることを特徴とする。
【請求項４】
請求項３において同等の成果を得ることを特徴とする。
【請求項５】
前記、請求項１から４において本発明趣旨を逸脱しない範囲の変更は、本発明に含まれる。
【発明の詳細な説明】
【技術分野】
【０００１】本発明は、植物の圧搾液体薬効組成、抽出成分物質から得られる含有物質の組成成分を抽出する製造に関するものである。【０００２】植物による化合物の組成成分は、大量生産が可能なことから、産業開発において期待できる。【０００３】被抽出物質の圧搾液体薬効組成、抽出成分を、液体物質、固体物質、顆粒物質、粉末物質との配合組成の、利便性に関するものである。
【背景技術】
【０００４】植物の薬効組成、成分物質については，公知とされている。しかし、被抽出物質の性状対策に汎用性がないままが実態である。組成、成分物質を、液体物質、固体物質、顆粒物質、粉末物質等の汎用を視野に入れ、配合組成を積極的に追求でき得る技術を提供する。
【発明の開示】
【発明が解決しようとする課題】
【０００５】前記従来、植物の薬効組成、成分機能は類似していることから、液体物質は、液体のまま固形物質は固形のままに用いられ要しているが、本発明の、薬効組成、成分抽出製造は、圧搾液体物質、固体物質、顆粒物質、粉末物質を容易にし、しかも、複合効果を図った加工抽出は、容易に確実、しかも添加、混合、攪拌が一体型でもって効果が得られる。【０００６】本発明は、このような実状に鑑みなされたものであり、植物圧搾液体薬効組成、成分物質は圧搾水溶性成分を含有していることから用途に応じた植物の育成、連作障害対策を可能とする被抽出物質含有組成、成分を他との組成、成分でその提供を目的とする。
【課題を解決するための手段】
【０００７】課題を解決するため、被抽出物質をｐＨ調整可能とした本発明技術は、浸透性の装置に被抽出物を封入することで濾過、抽出効果の有効成分の圧搾液体物質，固体物質、顆粒物質、粉末物質薬効組成、成分を対象多物質質構造に汎用活用を図ったことにより、好ましい選択の合理的構成が得られ、この発明に到達した。
【発明の効果】
【０００８】以上のように、本発明技術は、有効成分を無駄なく発揮され、融合性に優れ、汎用され、産業への期待は大きい。【０００９】この発明は、植物抽出物を原料となし、抽出物組成、成分を効率良く製造されることを特徴とする。【００１０】天然素材の有用な物質は、各地域の地域資源の利用技術となり、しかも、天然資源の活用から安定供給ができ、規模の自在設定ができることからも地域産業に貢献することを特徴とする。
【発明を実施するための最良の形態】
【００１１】本発明は、植物圧搾液体薬効組成、成分の有効成分を濾過、抽出することを特徴とする。例えば、前述の被抽出物質を透水性の良い袋状に入れｐＨ調整液体物質に２週間ほどの日数浸漬ことで成果を得た。固体物質、顆粒物質、粉末物質薬効組成、成分加工を図ることの汎用性。つまり、選択により好ましい効果が得られる。【００１２】上記、植物活性材技術は、植物圧搾液体薬効組成、抽出成分の有効物質の含有する抽出成分が効率よく抽出でき、本発明趣旨を逸脱しない範囲の変更は、本発明に含まれることを特徴とした。
【産業上の利用可能性】
【００１３】本発明の、植物圧搾液体薬効組成、成分の抽出製造方法は、天然素材の加工技術によることを特徴としている。【００１４】上記、地域の天然資源を活用することで産業上の利用可能性を有する。
(57)【要約】【課題】温泉源泉に人体に副作用のない色素含有植物染液を化合生成した着色温泉、草木染、温泉飲用水、温泉化粧品の染色方法を提供する。【解決手段】本発明による温泉活用の汎用は、源泉着色方法及びその方法による着色温泉製造方法は、色素含有植物染液の化合生成の汎用から多様の着色が楽しめることと、人体に副作用が起こらない。また、色彩が長期安定し、しかも、高額な設備投資がおさえられ、比較的簡単な装置でもって、湯量、化合調整を設けたことを特徴とする。本提供によって、地域資源を活用とした地域事業の育成と地域の観光産業開発となる。【選択図】なし【特許請求の範囲】
【請求項１】
温泉源泉に人体に副作用の及ばない発色性の色素含有植物の着色温泉を得ることを特徴とする色素含有植物染液を化合生成とした着色温泉を特徴とした。
【請求項２】
温泉成分に色素含有植物を化合生成成分とする温泉飲用効果装置を設けたことを特徴とした。
【請求項３】
上記、温泉飲用水を単一してなる同一湧出温泉効用を特徴とした。
【請求項４】
請求項１の分析項目値が公知温泉源泉の密度、濃度に融合する着色温泉、着色温泉飲用水、着色温泉化粧品、草木染は、該染液の白生地に浸漬して生液の浸透することを特徴とした。
【請求項５】
上記記載において本発明趣旨を逸脱しない範囲の変更は、本発明に含まれる。
【発明の詳細な説明】
【技術分野】
【０００１】本発明は、温泉から得られる多くの効能に、着色温泉、温泉飲料水、温泉化粧品、草木染を発色性含有植物から化合生成とする着色温泉を特徴とする。染色する方法は、合成染料を使用しないで色素含有植物染液を原料とする着色に関する。温泉湧出泉に化合生成する染化合生成製造方法に関する。安価な製造方法として簡単に設置することができ、しかも、化合生成操作が簡単にできることを特徴とする。
【背景技術】
【０００２】従来、合成染料を使用しない着色は、各種の方法が提案、利用されている。
【発明の開示】
【発明が解決しようとする課題】
【０００３】本発明は、従来の着色方法及び製造方法を公知の温泉効能、効果方法の汎用を特徴とする。ことの既存の温泉に、色素含有植物染液に化合生成使用の特色をもっての活用であり、源泉から湧出される化合生成物質を本発明によって確保でき、自然で鮮やかな色彩製造コストが安価で、安全性、安心で安価に提供する。
【課題を解決するための手段】
【０００４】本発明は、温泉成分に色素含有成分生成を備えることにより特色のある化合生成温泉は、ロ−コストな装置システムである。
【発明の効果】
【０００５】本発明の温泉着色方法及びその方法による着色温泉製造方法は、人体に副作用が無く、斬新な温泉水として期待され確保できる。【０００６】本発明は、源泉湧出温泉水に発色性の色素含有植物を化合にした形成である。【０００７】上記は、資源の有効資源化を図ることにより、人体に副作用が無く、健康維持対策に有効である。【０００８】源泉湧出温泉と植物天然物質は、双方調整が可能であり特色のあるシステム活用ができる。
【発明を実施するための最良の形態】
【０００９】本発明は、温泉源泉の湧出泉の密度、成分、濃度供給を化合生成物質製造装置に成形することを可能とする。【００１０】化合手段は、不純物の混入を回避するガラス質容器の使用にしたことを特徴とする。【００１１】そして、草木染は、白生地の重量の１、５％温泉の構成が望ましく、染液の浸透効果の化合調整量を特徴とする。【００１２】温泉、着色の化合生成の適量温度管理をシステム化することで、用途に応じた着色温泉水を特徴とする。【００１３】なお、草木染は、白生地に染液を約３０分、浸透効果の加熱温度は、約７０℃にしたことを特徴とする。
【産業上の利用可能性】
【００１４】本発明は、対象物のあるところに移動設置ができることから合理化ならびに作業能率に関する。【００１５】温泉源泉を単一、又は着色温泉、着色温泉飲用水、化粧化粧品、草木染の汎用特色を単一、着色効果の温泉効果、効用とした事で、集客イメージをとらえ、観光ルートを活かす。製造装置のサイズの変更により少量又は大量に化合生成活用できることを特徴とする。
(57)【要約】【課題】  サポニン含有生薬の研究は多く発表されている、特に薬用ニンジン等は古くから万能薬として広く使用されて来ました、多くのヒトはその効果を承知しています。又動物実験などでも多くの病態に対する効能効果も研究発表されている。しかしヒトへの効果は緩和で期待に答えられていない。近年。癌など難病に対する治療に、西洋、東洋医学でも研究が盛んに進められている。そこで人参サポニン等の効果が高まり、副作用も少なく安全で効能効果が早く期待できれば、多くの持病の方や東洋医学及び医学会としても多いに希求するところである。【解決手段】  本発明は有効成分の体内吸収を高め副作用を抑え、より早く生体機能を高めて生薬サポニン等の有益な効果を高めた。その為に、ヒトタンパク組成に近い鶏卵タンパクを利用して、生薬の生体親和成分だけを選択吸収させ、その生薬成分が吸収された鶏卵タンパクをヒトが服用すると、生薬成分が無理なくヒトタンパクに吸収し、副作用も少なく安全に必要成分も無駄なくスムーズに体内に吸収して効果を発揮することが確認された医薬組成物及び健康食品を発明した。【特許請求の範囲】
【請求項１】
生薬類に含まれる天然サポニン等の含有成分を鶏卵タンパクに選択吸収させた安全性及び効能効果を高めた医薬組成物及び健康食品。
【請求項２】
生薬（オタネニンジン、ソウキョウ）１０ｇ〜１８ｇ中に含まれる有効成分を鶏卵３０ｇ〜８０ｇに吸収させた癌をはじめ各病態の治療効果を高めた［請求項１］の医薬組成物及び健康食品
【発明の詳細な説明】
【技術分野】  薬用ニンジン等のサポニン含有生薬は古くから漢方薬に用いられている。それを裏付ける数多くの研究が発表されている。しかしながらそれら効能効果が緩慢である事が多く、薬局法等の規制や服用方法などによる必要成分の吸収が不足しているのではないかと考え、生薬成分の吸収を高めることを検討した。
【背景技術】  薬用ニンジン等は中国では漢方薬、日本では和漢薬として、東洋医学では古くから万能薬として用いられているが、西洋薬と比較すると効果が緩慢であり、これらのことから歴史的に古くから用いられているにもかかわらず、生薬が期待される程には使用されていない
【発明の開示】
【発明が解決しようとする課題】  この様な状況を鑑み、その効果を最大限発揮できるよう希求すべく研究を行った。そこで、ヒト組成に近い鶏卵タンパクを用い、生薬の有効成分を生体親和成分と生体抵抗成分を選別し、その生体親和成分だけを鶏卵タンパクに吸収した。
その鶏卵をヒトが服用すると、生薬成分の体内への吸収が増大し、安全で効能効果を高めることが確認された。
【課題を解決するための手段】  薬用ニンジン等の有効成分サポニン等は癌など多くの病態に対する効果が確認され発表されている。本発明はこれら効能に対し、より早く有益な効果が期待出来るよう検討した。ヒトタンパク組成に近い鶏卵タンパクが、ヒトタンパクにかわり生薬の生体親和成分だけを吸収し、その鶏卵を簡便にヒトが摂取出来るように開発した。
【発明の効果】
【生薬の毒性結果】
Ａ）  混合生薬５ｇを水溶性抽出エキス１０ｍｌに調製し、ラット５匹（平均体重２０２ｇ）に各体重ｋｇ当りに１日量として生薬５ｇ含有抽出エキス量を投与した。
経口投与により６日目と１７日目で２匹死亡した。
Ｂ）  混合生薬１０ｇを鶏卵タンパク５０ｇに吸収調製させた鶏卵を１０ｇ迄に乾燥調整し、ラット１０匹（平均体重２３９ｇ）に各ラット１日量として混合生薬１０ｇ含有の鶏卵を経口自由摂取した。２７日間投与したが全匹生存又体重、体温はコントロール群、との比較ではほとんど変化なく臓器重量及び血液検査も特に異状はなかった。
・Ｂ）の服用量設定は、薬局法で人参根１０ｇ以下の煎剤を１日服用量と定められていることを参考にした。従ってヒトの服用と同じ量の混合生薬をラットに投与したことになり、生薬は抽出水溶性エキスに比較して鶏卵タンパクを介した場合は安全性が高いといえる。
【生薬の効果】
薬用ニンジンサポニンに関して研究発表されている多くの効能のうち、抗癌作用について検討した。
【発明を実施するための最良の形態】
【実施例】  以下に実施例及び実験例を挙げて本発明の詳細を説明するが、本発明の使用はこれらに限定されるものではない。
・混合生薬
オタネニンジン３０ｇ、ソウキョウ２５ｇ、セイヨウアカネ５ｇ
・鶏卵
５０ｇ×６個
・製法
精製水を入れたビーカーに鶏卵６個を入れ弱火で加熱し半ゆで卵を作る。
次に別のビーカーに精製水２０００ｍｌを入れ加熱し混合生薬６０ｇを入れ加熱沸騰したら中火にし、予め準備して置いた半ゆでの鶏卵６個を入れ３時間加熱し、鶏卵タンパクに生薬成分の吸収が終了したら、鶏卵の殻を取り服用検体とする。
【実験例Ｉ】
実施例の混合生薬１ｇを水溶性抽出エキス３ｍｌに調整した検体を作成し、その腫瘍壊死因子（ＴＮＦ）活性を測定した。
生体内では常に癌のもとになる細胞が発生しているが、生体防御作用のあるマクロファージがＴＮＦを産生し細胞の癌化を防止していることで発癌を予防する。
しかしながら、免疫力の低下でマクロファージの作用が弱化すると、癌化が促進され発癌すると考えられている。一方、外部因子による刺激が生体内でマクロファージがＴＮＦ産生を促進し、細胞の癌化阻止能が高まると考えられることから、本発明品が生体内ＴＮＦの産生誘導活性を有するのかを下記の方法で測定した。
2011157339.tif 000002
・測定検体
１、混合生薬エキス
２、市販抗癌剤（ポジテブコントロール）
３、精製水（ネガテイブコントロール）
Ｙ軸は、５００ｎｍの吸光度で、低いものほど細胞の死滅を表している。つまりＴＮＦ活性による腫瘍細胞障害効果が高いことを表している。［図１］に示す
【測定結果】
検体１、の混合生薬エキスには、２、の市販抗癌剤と同等以上のＴＮＦ産生誘導活性が認められた。従って本発明品には発癌抑制作用を有していると考えられる。
【実験例ＩＩ】
６０歳男性の癌患者について本発明品の抗癌作用を検討した。服用量は本発明鶏卵１日に１個〜３個であった。本患者は肝臓に巨大転移肝細胞癌（最大１２，２×１０ｃｍ）が数個認められた。原発巣は進行性胃癌であり、根治切除術不能と診断され、シメチジンを含む混合化学療法にて治療が行われた。しかしながら、副作用が強く食欲不振やそれに伴う体重減少などにより化学療法治療継続が困難であった。
そこで本発明品を化学療法と併用したところ、食欲不振が改善し体重も次第に回復したことにより、社会生活を継続しながら化学療法が繰り返し継続して行えるようになった。
さらに、本開発品服用後１〜３ヶ月で腫瘍マーカーは正常化し、１年後には巨大肝細胞の消失がＣＴで確認された。本患者はその後、再発もなく７年間生存した。
2011157339.tif 000003
発症前に７３ｋｇの体重が、治療開始６ヵ月でもとに戻っている。［ＩＩＩ］に示す
従って、本発明品には治療中の副作用を防ぐと共に抗癌作用を有していると考えられる。［ＩＩ］、［ＩＩＩ］に示す
(57)【要約】【課題】  現在使われている多くの羽は先端部を持つ形のものが多く流体内を移動するとき羽先端部から騒音を発生する。【解決手段】  本考案の羽（１）を流体の圧力によって変形しない程度の長方形の板の短い辺の片端を１８０度ねじりもう一方の端に接続し、無限の記号として現す形にすることによって、羽の先端部をなくしそこから発生する騒音をなくす。【選択図】図１
2011157950.tif 000002
【特許請求の範囲】
【請求項１】
長方形の板の短いほうの両端の片端を１８０度ねじりもう一方の端に接続してできた輪の回転で流体に対するエネルギーの授受が行えるようにした。
【発明の詳細な説明】
【技術分野】
【０００１】  この発明は、風力発電機の羽や船の推進力にするスクリュウに関するもの。
【背景技術】
【０００２】  従来、羽やスクリュウは先端部を持つ形のものが多い、このために流体の中を移動するときその先端部より騒音を発生する。
【発明の開示】
【発明が解決しようとする課題】
【０００３】  羽やスクリュウの先端部から発生する騒音をなくすこと。
【課題を解決するための手段】
【０００４】  本考案の羽（１）は流体の圧力によって変形しない程度の長方形の板の短い辺の片端を１８０度ねじりもう一方の端に接続し、無限の記号として現す形にする、その交叉する両辺を軸（２）に固定する、羽（１）は流体に接しエネルギーの授受を行う、軸（２）を介してエネルギー授受装置（３）にエネルギーの授受をおこなう。
羽（１）の形から羽の先端部がなく騒音を抑えることができる。
以上のような構成よりなる流体エネルギー授受装置である。
【発明の効果】
【０００５】  本考案の羽は先端部を持たない輪の形になっており先端部より発生する騒音はなくなる。
【発明を実施するための最良の形態】
【０００６】  この発明の実施形態を、図１に示す。
本考案は羽（１）、軸（２）、エネルギー授受装置（３）よりなる。
本考案の羽（１）は流体の圧力によって変形しない程度の長方形の板の短い辺の片端を１８０度ねじりもう一方の端に接続し、無限の記号として現す形にする。
羽（１）は流体に接する部分で流体に対しエネルギーを授受するところで軸（２）を介してエネルギー授受装置（３）にてエネルギーの授受を行う。
【実施形態の効果】
【０００７】  羽（１）は流体に接する羽として先端部がなく羽先端部より発生する騒音が出ない。
【他の実施形態】
【０００８】  従来、羽の多くの形が先端部を持っており騒音を発生しやすい。
【図面の簡単な説明】
【０００９】
【図１】本発明の実施形態を示す斜視図である。
【符号の説明】
【００１０】１  羽
２  軸
３  エネルギー授受装置
【図１】
2011157950.tif 000003
(57)【要約】【課題】車両においてアクセルペダルや制御系統において機械的、電気的不具合により該当車両が運転者の意図しない制御状態となり誤走行を起こし、暴走状態となり人命、財産を極端に危険にさらしてしまうという事態が想定出来る。【解決手段】圧電素体或いは金属等（ストレーゲージ等）を利用した圧力センサをアクセルペダルに利用する事により安価で高い信頼性の安全装置を構築し、車両の誤走行を未然に防止する事で燃料供給制御装置の故障や不具合により人命、財産を危険にさらす事を防止する。【選択図】        図１
2011157935.tif 000002
【特許請求の範囲】
【請求項１】
車両用のアクセルペダルの踏込み量を検出し燃料噴射量を制御する装置としてアクセルペダルの踏み込み部分に圧電素体或いは金属等（ストレーゲージ等）を利用した圧力センサを用いる事を特徴とした燃料供給制御装置
【請求項２】
車両用のアクセルペダルの踏込み量を検出し燃料噴射量を制御する装置として請求項１の圧力センサで運転者の踏み込み状態と燃料噴射状態の整合を取りながら燃料供給装置の制御を行う事を特徴とする燃料供給制御装置
【発明の詳細な説明】
【技術分野】
【０００１】
本発明は、車両用の燃料供給装置の制御においてアクセルペダルの踏み込み量を検出するセンサに関するものである。
【背景技術】
【０００２】
従来の実施の形態に関わる車両用の燃料供給制御装置において、アクセルペダルの踏み込み量はアクセルワイヤーを経てスロットバルブに伝えられ燃料の噴出量を制御している。
【０００３】
図３は、従来の実施の形態に関わる車両用の燃料供給装置の制御の概念図を表す。図３において、アクセルペダル１と燃料の噴出量を制御するスロットバルブ３、これらはアクセルワイヤー２を経てアクセルペダル１の踏み込み量を定量的にスロットバルブに伝達する仕組みとなっておりエンジンシリンダ内４に噴射される燃料の量を制御している。
【０００４】
図４は、従来の実施の形態に関わる車両用の燃料供給装置の制御で図３が電子制御化された概念図を示す。図４においてアクセルペダル５とその踏み込み量を検出する可変抵抗器式等からなるセンサ６、これらよりアクセルの踏み込み量に応じた信号を送受信し燃料の噴射量を制御するスロットバルブ７によりエンジンシリンダ内４に噴出される燃料の量を制御している。 
【特許文献１】特許公開２００６−１２３７１１
【非特許文献１】谷腰欣司著  「超音波とその使い方−超音波送受波器・超音波モータ」  日刊工業新聞  １９９４年
【発明の開示】
【発明が解決しようとする課題】
【０００５】
従来の実施の形態に関わる車両用の燃料供給装置において、アクセルペダルや制御系統において機械的、電気的不具合により該当車両が運転者の意図しない制御状態となり誤走行を起こし、暴走状態となり人命、財産を極端に危険にさらしてしまうという事態が想定出来る。
【課題を解決するための手段】
【０００６】
アクセルペダルの踏み込み部分に圧電素体或いは金属等（ストレーゲージ等）を利用した圧力センサを用いる事で運転者の意思と燃料供給制御装置をの整合性を取りながら該当車両を制御する事により、アクセルペダルを踏んでいない状態で車両が加速するというような誤走行を未然に防止する事が出来る。
【発明の効果】
【０００７】
圧電素体或いは金属等（ストレーゲージ等）を利用した圧力センサをアクセルペダルに利用する事により安価で高い信頼性の安全装置が実現出来、アクセルを踏んでいないのに加速するという様な車両の誤走行を未然に防止する事が出来、燃料供給制御装置の故障や不具合により人命、財産を危険にさらす事を防止する。
【発明を実施するための最良の形態】
【０００８】
図１に本発明の実施の形態の関わる車両用の燃料供給制御装置の概念面を表す。図１において、アクセルペダル８には圧電素体或いは金属等（ストレーゲージ等）９を挟み込み圧力センサを形成している。アクセルペダル８とその踏み込み量を検出する可変抵抗器式等６は従来の実施の形態と同じくアクセルの踏み込み量に応じた信号を送受信し燃料の噴出量を制御するスロットバブル７によりエンジンシリンダ内４に噴射される燃料の量を制御している。
【０００９】
ここで、図２に示す通りのアルゴリズムを図１に示す本発明の実施の形態に関わる燃料制御装置の圧電素体或いは金属等（ストレーゲージ等）９を利用した圧力センサを組み込んだアクセルペダル８の圧力信号を組み合わせる事で、例えばアクセルを踏んでいない状態では燃料供給を止める事が出来、燃料供給制御装置の故障や不具合で加速するという様な車両の誤走行を未然に防止する事が出来る。
【産業上の利用可能性】
【００１０】
本発明は、車両の走行時の燃料供給制御装置のみならず、停車時のクリープ事故防止にも適用が期待できる。
【図面の簡単な説明】
【００１１】
【図１】従来の形態に関わる超音波送受波器の概略縦断面図
【図２】本発明の形態に関わる超音波送受波器の概略縦断面図
【図３】従来の形態に関わる車両用の燃料供給装置の制御の概念図
【図４】従来の形態に関わる車両用の燃料供給装置の電子化された制御の概念図
【符号の説明】
【００１２】
１    アクセルペダル
２   アクセルワイヤー
３    スロットバルブ
４    エンジンシリンダ
５    アクセルペダル（電子制御用）
６    踏み込み量センサ
７    スロットバルブ（電子制御用）
８    アクセルペダル（圧電素体或いは金属等（ストレーゲージ等）組み込み）
９    圧電素体或いは金属等（ストレーゲージ等）
【図１】
2011157935.tif 000003
【図２】
2011157935.tif 000004
【図３】
2011157935.tif 000005
【図４】
2011157935.tif 000006
(57)【要約】【課題】アルカリ性温泉に人体に副作用のない色素含有植物染液を化合生成した草木染、染色方法を提供する。【解決手段】本発明による草木染は、高額な設備投資がおさえられ、比較的簡単な装置でもって、湯量、化合調整を設けたことにより得られる。本提供によって、地域資源を活用することになり、よって地域事業の育成と地域の観光産業開発となる。【選択図】なし【特許請求の範囲】
【請求項１】
アルカリ性温泉源泉における湧出泉に、色素含有植物染液が人体に副作用の無い草木、植物を化合生成とした温泉草木染を特徴とした。
【請求項２】
温泉成分に色素含有植物を化合生成成分とする草木染効果装置を設けたことを特徴とした。
【請求項３】
上記、草木染は、化合してなる同一湧出泉効果を特徴とした。
【請求項４】
請求項３の分析項目値が公知のアルカリ性温泉源泉の密度、濃度に融合する該染液の白生地に浸漬して生液の浸透することを特徴とした。
【請求項５】
上記記載において本発明趣旨を逸脱しない範囲の変更は、本発明に含まれる。
【発明の詳細な説明】
【技術分野】
【０００１】本発明は、アルカリ性温泉から得られる多くの効能に、草木染、染色する方法は、合成染料を使用しないで色素含有植物染液を原料とする草木染に関する。温泉湧出泉に化合生成する草木染化合生成製造方法に関する。安価な製造方法として簡単に設置することができ、しかも、化合生成操作が簡単にできることを特徴とする。
【背景技術】
【０００２】従来、合成染料を使用しない草木染は、各種の方法が提案、利用されている。
【発明の開示】
【発明が解決しようとする課題】
【０００３】本発明は、公知のアルカリ性温泉効能、効果を特徴とすることの既存の温泉に、色素含有植物染液に化合生成使用の特色をもった活用であり、源泉から湧出される化合生成物質を本発明によって確保でき、自然で鮮やかな色彩製造コストが安価で、安全性、安心で安価に提供する。
【課題を解決するための手段】
【０００４】本発明は、アルカリ性の温泉成分に色素含有成分生成を備えることにより特色のある化合生成温泉としての草木染は、ローコストな装置システムである。
【発明の効果】
【０００５】本発明の草木染は、人体に副作用が無く、斬新な草木染として期待され確保できる。【０００６】本発明での草木染は、源泉湧出を化合にした形成である。【０００７】上記は、資源の有効資源化を図ることにより、人体に副作用が無く、健康維持対策に有効である。【０００８】源泉湧出温泉と植物天然物質は、双方調整が可能であり特色のあるシステム活用ができる。
【発明を実施するための最良の形態】
【０００９】本発明は、温泉源泉の湧出泉の密度、成分、濃度供給を化合生成物質製造装置に成形することを可能とする。【００１０】化合手段は、不純物の混入を回避するガラス質容器の使用にしたことを特徴とする。【００１１】そして、白生地の重量の１、５％のアルカリ性温泉の構成が望ましく、染液の浸透効果の化合調整量を特徴とする。【００１２】温泉、染液の化合生成の適量温度管理をシステム化することで、用途に応じた染め上げを特徴とする。【００１３】なお、白生地に染液を約３０分、浸透効果の加熱温度は、約７０℃、にしたことを特徴とする。
【産業上の利用可能性】
【００１４】本発明は、対象物のあるところに移動設置ができることから合理化ならびに作業能率に関する。【００１５】温泉の特色を草木染効果の温泉にした事の集客イメージをとらえる観光ルートを活かす。製造装置のサイズの変更により少量又は大量に化合生成活用できる。
(57)【要約】【課題】足首全体を保温する為に、靴下の上に使い捨てカイロを貼り付けるなどしますと、見た目が良くなくストッキングやタイツを履いている場合は、使い捨てカイロで足首を保温することは不可能でした。本発明は、足首全体を手軽でおしゃれに保温する為のアンクルウォーマーである。【解決手段】収納具本体は両端が開口され、該収納具本体の両端には足首を固定する為の取付け具を設け、開口部より使い捨てカイロを収納する。【選択図】図１
2011157672.tif 000002
【特許請求の範囲】
【請求項１】
収納具本体は両端が開口され、該収納具本体の両端に足首を固定するための、取付け具を設け、開口部より使い捨てカイロを収納するように成したアンクルウォーマー。
【請求項２】
取付け具に紐を用いた請求項１のアンクルウォーマー。
【請求項３】
取付け具に面ファスナーを用いた請求項１のアンクルウォーマー。
【発明の詳細な説明】
【技術分野】
【０００１】  本発明は、足首全体を手軽でおしゃれに保温する為のアンクルウォーマーに関するものである。
【背景技術】
【０００２】  従来、足首全体を手軽でおしゃれに保温する道具はなかった。
【先行技術文献】
【０００３】
【特許文献】
【発明の概要】
【発明が解決しようとする課題】
【０００４】  ほとんどの働く女性は、寒い日でもスカートの着用時にストッキングやタイツを履きパンプスで過ごしている為に足から体全体の体温を低下させ、冷え性で困っている方が多い。そこで、本発明では足首全体を温めることにより、足首の周りにある反射区やリンパ・血流がよくなり、女性特有の冷え性や生理痛などの改善に役立つのではないかと考えたものである。
足首全体を保温する為に、靴下の上に使い捨てカイロを貼り付けると、見た目が良くなくストッキングやタイツを履いている場合は、使い捨てカイロで足首を保温することは不可能でした。
本発明は、以上の問題点を解決するものである。
【課題を解決するための手段】
【０００５】  収納具本体は両端が開口され、該収納具本体の両端には足首を固定する為の面ファスナーを取付け、開口部より使い捨てカイロを収納する。
以上の構成よりなるアンクルウォーマー。
【発明の効果】
【０００６】  従来なかった足首保温を、本発明により可能にし、手軽でオシャレに足元から保温することができ、冷え解消になり、見た目にも良くファッション性にも優れているのである。
【図面の簡単な説明】
【０００７】
【図１】本発明の斜視図
【図２】本発明の使用状態を示す斜視図
【図３】本発明の使用状態を上から見た図
【発明を実施するための形態】
【０００８】  以下、本発明の実施の形態を説明する。
（イ）布や毛糸等を袋状にした収納具本体（１）は両端が開口され、該収納具本体の両端には足首に固定するための取付け具としてヒモ（２）又は面ファスナー（３）を取付ける。
（ロ）開口部（４）より使い捨てカイロを収納する。
本発明は以上のような構造である。
本発明を使用するときは、使い捨てカイロを収納した収納具本体（１）を足首に巻き収納具本体（１）の両端に取り付けた取付け具としてヒモ（２）又は面ファスナー（３）で足首に固定する。このことによって、収納具本体（１）やヒモ（２）をファッション性あふれるデザインを用いる事によってかわいいものが提供でき、カイロを装着しているとは思えないお洒落ものを提供できる。
【符号の説明】
【０００９】  （１）収納具本体、（２）ヒモ、（３）面ファスナー、（４）開口部
【図１】
2011157672.tif 000003
【図２】
2011157672.tif 000004
【図３】
2011157672.tif 000005
(57)【要約】【課題】  従来のボディスーツコルセットは、腰痛防止と前傾姿勢を保持する機能はない。  胴ベルトのコルセットでは体を動かす度にコルセットがずれ上がり、腰痛防止が保持出来ず、前傾姿勢を保持する機能もない。  したがって、腰痛防止と前傾姿勢を保持するには、双方共不可能だった。  本発明は、腰痛防止兼姿勢保持用コルセットを提供する。【解決手段】  胴回りコルセットに芯を取り付け、その前打ち合わせに鉤フックを取り付けた胴回りコルセットを、ボディスーツコルセットの背部、胴回りに取り付け、鉤フックに紐を掛けたことを特徴とする腰痛防止兼姿勢保持用コルセット。【選択図】図６
2011157673.tif 000002
【特許請求の範囲】
【請求項１】
胴回りコルセットに芯を取り付け、その前打ち合わせに鉤フックを取り付けた胴回りコルセットを、ボディスーツコルセットの背部、胴回りに取り付け、鉤フックに紐を掛けたことを特徴とする腰痛防止兼姿勢保持用コルセット。
【発明の詳細な説明】
【技術分野】
【０００１】  本発明は、腰痛防止と、腰痛と加齢から起こる前傾姿勢この腰痛と前傾姿を防止、保持する、腰痛防止兼姿勢保持用コルセットに関するものである。
【背景技術】
【０００２】  従来、ボディスーツコルセットは、贅肉を分散させ、きれいに形成させるためのコルセットであり、その他部分的コルセットもいろいろあるが、腰痛と前傾姿勢を防止保持することは出来なかった。
【発明の概要】
【発明が解決しようとする課題】
【０００３】  そのため、次のような問題点があった。
本来、ボディスーツコルセットは腰痛と前傾姿勢を防止、保持する機能はない。
部分的コルセットもいろいろあるが、背筋ベルトの肩から脇に掛けたベルトで、脇にこすれ傷を作り、胴回りコルセットでは、ブラジャーと胴回りコルセットの間の見苦しい贅肉のはみ出しで、きれいなボディラインが形成出来ず、また、体を動かしている間に胴回りコルセットがずれ上がり、そのため腰痛防止が保持出来ず、その都度胴回りコルセットを引き下げる面倒な問題があった。
本発明は、これらの問題点を解決するためになされたものである。
【課題を解決するための手段】
【０００４】  上記問題点を解決するため本発明は、胴回りコルセットに、姿勢保持用の芯を取り付け、その胴回りコルセットの前打ち合わせに、紐を掛ける鉤フックを取り付けた胴回りコルセットをボディスーツコルセットの背部胴回りに重ねて取り付けたもので、鉤フックに紐を掛けて胴を締め、腰痛防止と前傾姿勢を保持するための腰痛防止兼姿勢保持用コルセットである。
【発明の効果】
【０００５】  従来保持出来なかった腰痛と前傾姿勢が、胴回りコルセットの前打ち合わせに取り付けた鉤フックに紐を掛け、胴を締めることによって、腰痛と前傾姿勢が保護され、その紐の締め具合で腰痛の度合いも調節出来る。
二つのコルセットを、一つのコルセットとして活用し、胴回りのコルセットのずれ上がりを防止、部分的コルセットを使用した時の贅肉のはみ出しもない、きれいなボディラインに形成された。
そのため、加齢から起こる前傾姿勢に兼用出来る。
【図面の簡単な説明】
【０００６】
【図１】  本発明の胴回りコルセットを開いた状態のボディスーツコルセットの前面の説明図である。
【図２】  本発明の胴回りコルセットの展開図である。
【図３】  本発明のボディスーツコルセットの背部胴周りに取り付けた胴回りコルセットの説明図である。
【図４】  本発明の鉤フックに紐を掛けた胴周りコルセットの説明図である。
【図５】  本発明の鉤フックに掛ける紐の説明図である。
【図６】  本発明の胴回りコルセットを取り付けた、ボディスーツコルセットの完成状態を示した説明図である。
【図７】  本発明の男性用ボディスーツコルセットの展開図である。
【図８】  本発明の胴回りコルセットの上部を取り除き、鉤フックに紐を掛けた胴回りコルセットの説明図である。
【発明を実施するための形態】
【０００７】  以下、本発明の実施の形態について説明する。
（イ）ボディスーツコルセット（１）の前中央に、前あきファスナー（２）を取り付け、    その股下あき前後（３）に、ハトメ釦（４）を取り付ける。
（ロ）胴回りコルセット（５）側の前後に、７本の芯（６）を取り付ける。
（ハ）胴回りコルセット（５）の前打ち合わせ（７）と、前打ち合わせの持出し布（８）    に、レザー（９）を貼り、そのレザー（９）に、紐（１０）を掛ける、鉤フック（１    １）を取り付ける。
（ニ）ボディスーツコルセット（１）胴回りコルセット（５）この二つのコルセットをボ    ディスーツコルセット（１）の背部胴回り（１２）に重ねて固定一体化（１３）させ    る。
（ホ）胴回りコルセット（５）の鉤フック（１１）に紐を掛ける。
（ヘ）男性用ボディスーツコルセット（１）（図面７）の前中央にファスナー（２）を取    り付け、その下に男性用前あき（１５）と、その股下あき前後（３）にハトメ釦（４    ）を取り付ける。
（ト）後の構成は、女性用（イ）以下同様である。
本発明は以上のような構成である。
これを使用するときは、普通のボディスーツコルセットと同じである。
鉤フックに紐を掛ける方法は、編み上げシューズと同じ、編み上げシューズは下から掛けて行くが、このコルセットは上から掛ける。
【符号の説明】
【０００８】１  ボディスーツコルセット
２  前あきファスナー
３  股下あき前後
４  股下あきハトメ釦
５  胴回りコルセット
６  ７本の芯
７  前打ち合わせ
８  前打ち合わせの持出し布
９  レザー
１０  紐
１１  鉤フック
１２  背部胴回り
１３  重ねて取り付けた部分
１５  男性用前あき
【図１】
2011157673.tif 000003
【図２】
2011157673.tif 000004
【図３】
2011157673.tif 000005
【図４】
2011157673.tif 000006
【図５】
2011157673.tif 000007
【図６】
2011157673.tif 000008
【図７】
2011157673.tif 000009
【図８】
2011157673.tif 000010
(57)【要約】      （修正有）【課題】便器表面に付着する汚れの防止または軽減機能付き便器を提供する。【解決手段】便器の汚物付着しやすい場所に、高周波振動させ得るように高周波振動子１を取り付け、便器自体を高周波振動させることによって、便器表面を疑似的に平面化させ同時に、少量の水を流すことで便器表面の防汚効果を飛躍的に高める。【選択図】図１
2011157723.tif 000002
【特許請求の範囲】
【請求項１】
便器に高周波振動子を取り付けたことを特徴とする便器。
【請求項２】
使用中にのみ動作することを特徴とする請求項１記載の高周波振動便器。
【発明の詳細な説明】
【技術分野】
【０００１】
この発明は、便器における高周波振動を用いた防汚装置に関する。
【背景技術】
【０００２】
従来の便器は、便器の表面を可能な限り平面化するために、原素材から、研磨または焼成等の方法によって、物質的に防汚効果の高い素材を獲得し、これを用いて形成されている。また、水洗便器の場合は、水流の方向等により効率的な便器内の洗浄方法を見出し、防汚効果を高めるという方法が採られている。
【発明の概要】
【発明が解決しようとする課題】
【０００３】
しかし、これら従来の方法だけでは防汚効果に限界がある。そこで、便器表面に付着する汚れの防止または軽減を行う新たな機能を備えた便器を提供することを課題とする。
【課題を解決するための手段】
【０００４】
便器に高周波振動子を取り付け、使用中に少量の水を流すと同時に高周波で振動させる。
【発明の効果】
【０００５】
このことにより、便器表面が疑似的に平面化するので、防汚効果が飛躍的に高まる。
【図面の簡単な説明】
【０００６】
【図１】この発明の一実施形態を示す斜視図である。
【発明を実施するための形態】
【０００７】
この発明の一実施形態を図１に示す。汚物の付着しやすい場所を重点的に高周波振動させ得るように高周波振動子を取り付ける。
【実施例】
【０００８】
便座スイッチ作動時にのみ高周波振動が発生すると同時に、少量の水等を流すことで防汚効果がさらに獲得できる。
【符号の説明】
【０００９】
１  高周波振動子
２  高周波発生器
３  便座スイッチ
４  AＣ電源へ  
【図１】
2011157723.tif 000003
(57)【要約】      （修正有）【課題】木造在来工法並びにツーバイフォー工法（枠組壁工法）等の戸建て住宅用の免震工法を提供する。【解決手段】基礎６を凸型断面の形状から凹型断面の形状に変更し、凹型の形状の窪みの部分に建物の土台となる材料１を落とし込み、更に基礎６と土台となる材料１の底面と側面との間に、免震材料２、３を設置することにより、基礎６に伝わった地震の震動を建物に伝わる前に減衰させ、建物の破壊や倒壊を減少させる。【選択図】図１
2011157800.tif 000002
【特許請求の範囲】
【請求項１】
凹型断面の基礎を用い、基礎と建物の土台との間に免震材を取付けた、戸建て住宅用の免震工法。
【発明の詳細な説明】
【技術分野】
【０００１】  本発明は、木造在来工法並びにツーバイフォー工法（枠組壁工法）等の戸建て住宅用の免震工法である。
【背景技術】
【０００２】  従来の技術は、凸型断面の形状の基礎を造り、建物の土台と基礎をアンカーボルトにより固定していた為、基礎の下に更に免震層を設け、地震の震動を減衰させるものであった。
【発明の開示】
【発明が解決しようとする課題】
【０００３】  解決しようとする問題点は、従来の技術では、基礎の下に更に免震層を構築する為、工事が大掛かりになり建設費も増大する。ゆえに、マンションやオフィスビル等の大規模な建築物には、免震工法を採用している建物もあるが、個人の戸建て住宅には、この免震工法はほとんど採用されていない。現在の戸建て住宅の地震対策は、建物の耐震強度を補強する手段が、そのほとんどである。
【課題を解決するための手段】
【０００４】  現在の戸建て住宅の多くが、凸型断面の形状の基礎の上に、アンカーボルトにより土台となる材料を固定させている為、地震の震動が上部の建物に伝わり易く、建築物の破壊や倒壊が起こりやすい。また、従来の工法のまま、基礎の下に免震層を建設すると、建設コストが増大し、一般の個人の住宅に普及させるのは困難である。  本発明は、基礎を凸型断面の形状から凹型断面の形状に変更し、凹型の形状の窪みの部分に建物の土台となる材料を落とし込み、更に基礎と土台となる材料の底面と側面との間に、免震材料を設置することにより、基礎に伝わった地震の震動を建物に伝わる前に減衰させ、建物の破壊や倒壊を減少させるものである。
【発明の効果】
【０００５】  本発明の戸建て住宅用免震工法のメリットは、従来の工法を大幅に変更することなく、凸型断面の基礎の形を凹型断面の基礎に変更し、基礎と土台材料との間に免震材料を設置するだけなので、コストが安く、一般の個人の戸建て住宅への免震工法の普及が期待できる。また、基礎上部の建築物への地震の震動が軽減される為、建物内での家具の転倒・落下による負傷者及び死者を減らすことや暖房器具等による火災などの２次災害の防止の効果も期待できる。
【図面の簡単な説明】
【０００６】
【図１】  凹型基礎と免震材料と土台の断面図
【符号の説明】
【０００７】１    土台材
２    免震材料ａ（横揺れ対応型）
３    免震材料ｂ（縦揺れ及び耐荷重対応型）
４    基礎配筋
５    排水用溝
６    基礎コンクリート
７    割栗石
８    地面
【図１】
2011157800.tif 000003